(57)【要約】【課題】信頼性の高い巻線型コモンモードチョークコイルを得ること。【解決手段】巻芯部とその両端に設けられる鍔部よりなるコアを有し、前記巻芯部に導電性を有する複数のワイヤが巻回され、各鍔部の表面に前記ワイヤと同数の端子電極が設けられ、前記ワイヤの両端部が前記端子電極に各々接続される巻線型コモンモードチョークコイルであって、各鍔部において、前記ワイヤのうち一本の端部が前記端子電極と前記鍔部の側面上で接続され、残りのワイヤの端部が前記端子電極と前記鍔部の底面上で接続されることを特徴とする。【選択図】        図２
2004260095.tif 000002
【特許請求の範囲】
【請求項１】
巻芯部とその両端に設けられる鍔部よりなるコアを有し、前記巻芯部に導電性を有する複数のワイヤが巻回され、各鍔部の表面に前記ワイヤと同数の端子電極が設けられ、前記ワイヤの両端部が前記端子電極に各々接続される巻線型コモンモードチョークコイルであって、各鍔部において、前記ワイヤのうち一本の端部が前記端子電極と前記鍔部の側面上で接続され、残りのワイヤの端部が前記端子電極と前記鍔部の底面上で接続されることを特徴とする巻線型コモンモードチョークコイル。
【請求項２】
前記ワイヤの端部が接続される前記鍔部の側面に段差が設けられ、前記段差により設けられる前記側面から奥まった面上に前記ワイヤの端部が接続されることを特徴とする請求項１に記載の巻線型コモンモードチョークコイル。
【発明の詳細な説明】
【０００１】
【発明の属する技術分野】
本発明は、巻線型のコモンモードチョークコイルに関する。
【０００２】
【従来の技術】
回路を構成する２本の信号線を同一の位相で伝播する、いわゆるコモンモードノイズを除去するために、巻線型コモンモードチョークコイルが用いられる。
【０００３】
従来の巻線型コモンモードチョークコイルの例として、図６及び図７に示すものがある。
【０００４】
これらの図において、巻線型コモンモードチョークコイル３１は、巻芯部３３とその両端に設けられる鍔部３４ａ、３４ｂよりなるコア３２を有する。
【０００５】
前記鍔部３４ａの底面は溝部４０が設けられることにより脚部３９ａ、３９ｂが形成される。前記脚部３９ａの底面には端子電極３５ａが、脚部３９ｂの底面には端子電極３５ｂがそれぞれ形成される。また、前記巻芯部３３には、導電性を有するワイヤ３６ａ及び３６ｂが巻回され、前記ワイヤ３６ａのワイヤ端部３８ａが前記端子電極３５ａに接続され、前記ワイヤ３６ｂのワイヤ端部３８ｂが前記端子電極３５ｂに接続される。
【０００６】
同様に、前記鍔部３４ｂにも二つの脚部（図示せず）が形成されるとともに、前記各脚部に端子電極が形成される。また、前記端子電極には前記ワイヤの他方の端部が接続される。
【０００７】
さらに、前記コア３２の上面側を覆うように天板３７が取り付けられる。
【０００８】
このようにコアの鍔部にワイヤと同数の脚部が設けられる巻線型コモンモードチョークコイルは、例えば特開平２０００−２０８３３１号公報に示される。
【０００９】
他の巻線型コモンモードチョークコイルの例としては、図８及び図９に示すものがある。
【００１０】
これらの図において、巻線型コモンモードチョークコイル４１は、巻芯部４３とその両端に設けられる鍔部４４ａ、４４ｂよりなるコア４２を有する。
【００１１】
前記鍔部４４ａの少なくとも底面には、互いに導通しないように所定の間隔をおいて端子電極４５ａ、４５ｂが形成される。また、前記巻芯部４３には、導電性を有するワイヤ４６ａ、４６ｂが巻回され、前記ワイヤ４６ａのワイヤ端部４８ａが前記端子電極４５ａに接続され、前記ワイヤ４６ｂのワイヤ端部４８ｂが前記端子電極４５ｂに接続される。
【００１２】
同様に、前記鍔部３４ｂにも二つの端子電極（図示せず）が形成され、前記端子電極に前記ワイヤの他方の端部が接続される。
【００１３】
さらに、前記コア４２の上面側を覆うように天板４７が取り付けられる。
【００１４】
【特許文献１】
特開平２０００−２０８３３１号公報
【００１５】
【発明が解決しようとする課題】
図６または図７に示す巻線型コモンモードチョークコイルは、コアを構成する鍔部に溝が設けられ、ワイヤと同数の脚部が設けられる。このため、脚部の断面積が小さくなってしまい、十分な機械的強度が得られにくいという問題がある。この傾向は、製品のサイズが小型化するほど顕著になる。
【００１６】
一方、図８または図９に示す巻線型コモンモードチョークコイルは、上述のように機械的強度の低い脚部を有さず、コアの機械的強度を十分に確保することができる。しかし、前記コモンモードチョークコイルは図のようにワイヤ４６ｂが端子電極４５ａに接近した構造を有する。このため、ワイヤ端部と端子電極をヒーターチップにより熱圧着接続する際に、ワイヤの端部以外の被膜が除去されて当該部の金属線が露出し、前記露出部と端子電極のショート不良が発生するという問題がある。
【００１７】
本発明は、上述の問題を解決し、信頼性の高い巻線型コモンモードチョークコイルを得ることを課題とする。
【００１８】
【課題を解決するための手段】
上述の問題を解決するため、本発明の巻線型コモンモードチョークコイルは、巻芯部とその両端に設けられる鍔部よりなるコアを有し、前記巻芯部に導電性を有する複数のワイヤが巻回され、各鍔部の表面に前記ワイヤと同数の端子電極が設けられ、前記ワイヤの両端部が前記端子電極に各々接続される巻線型コモンモードチョークコイルであって、各鍔部において、前記ワイヤのうち一本の端部が前記端子電極と前記鍔部の側面上で接続され、残りのワイヤの端部が前記端子電極と前記鍔部の底面上で接続されることを特徴とする。
【００１９】
このような構成とすることで、コアの機械的強度が十分確保されるとともに、ワイヤと端子電極がショートするのを防ぐことができる。
【００２０】
また、前記ワイヤの端部が接続される前記鍔部の側面に段差が設けられ、前記段差により設けられる前記側面から奥まった面上に前記ワイヤの端部が接続されることを特徴とする。
【００２１】
このような構成とすることで、前記鍔部の側面上で、ワイヤと端子電極の接続位置の位置決めを高精度かつ容易に行うことができる。また、ワイヤの一部が鍔部の寸法からはみでないようにすることができる。
【００２２】
【発明の実施形態】
まず、第一の実施形態による巻線型コモンモードチョークコイルについて、図１及び図２に基づき説明する。図１は、前記巻線型コモンモードチョークコイルの外観斜視図である。また、図２は、前記巻線型コモンモードチョークコイルにおける、ワイヤとコアの接続部付近の拡大図である。
【００２３】
巻線型コモンモードチョークコイル１は、巻芯部３及び前記巻芯部３の両端に設けられる鍔部４ａ、４ｂよりなるコア２を有する。コア２の材料としては、例えばフェライト等の磁性体材料やアルミナ等の絶縁体材料等が使用される。
【００２４】
前記鍔部４ａの底面（基板実装面）には、所定の間隔をおいて二つの端子電極５ａ、５ｂが形成される。また、前記端子電極５ａ、５ｂは前記底面に隣接する前記鍔部４ａの前面（巻芯部側の面）、背面（前面の反対面）及び側面（上面、底面、前面及び背面を除く２面）にも形成される。
【００２５】
前記巻芯部には、二本のワイヤ６ａ及び６ｂが巻回される。ワイヤの材料としては、例えばポリウレタン樹脂等の絶縁材料で被膜された銅線等が使用される。
【００２６】
そして、前記ワイヤ６ａのワイヤ端部８ａと前記端子電極５ａは前記鍔部４ａの底面上で接続される。一方、前記ワイヤ６ｂのワイヤ端部８ｂと前記端子電極５ｂは前記鍔部４ａの側面上で接続される。
【００２７】
上述と同様に、前記鍔部４ｂにも二つの端子電極（図示せず）が形成される。そして、前記ワイヤ６ａのワイヤ端部は、前記端子電極の一方と前記鍔部４ｂの側面上で接続される。また、前記ワイヤ６ｂのワイヤ端部は、他方の端子電極と前記鍔部４ｂの底面上で接続される。
【００２８】
ここで、ワイヤ端部と端子電極の接続には、熱圧着や半田付け等の方法が用いられる。熱圧着においては、ワイヤ端部が加熱されたヒーターチップにより端子電極に押圧され、前記ワイヤ端部が偏平状に変形して端子電極に接合される
上述のようにワイヤ端部と端子電極の接続位置を配置することにより、ワイヤと端子電極の間隔（例えばワイヤ６ｂと端子電極５ａの間隔）が十分に確保され、ワイヤと端子電極間のショートを防ぐことができる。同時に、鍔部に溝が形成されない構造により、鍔部の機械的強度を十分に確保できるという効果を有する。
【００２９】
次に、第二の実施形態について、図３に基づき説明する。図３は、第二の実施形態による巻線型コモンモードチョークコイルにおけるワイヤとコアの接続部付近の拡大図である。
【００３０】
前記巻線型コモンモードチョークコイルは、第一の実施形態と同様、巻芯部とその両端に設けられる鍔部よりなるコアを有する。
【００３１】
鍔部１４ａの底面（基板実装面）には、所定の間隔をおいて三つの端子電極１５ａ、１５ｂ、１５ｃが形成される。また、前記端子電極１５ａ、１５ｃは前記底面に隣接する鍔部１４ａの前面、背面及び側面にも形成される。また、前記端子電極１５ｂは、前記底面に隣接する鍔部１４ａの前面及び背面にも形成される。
【００３２】
前記巻芯部１３には、三本のワイヤ１６ａ、１６ｂ及び１６ｃが巻回される。そして、前記ワイヤ１６ａのワイヤ端部１８ａと前記端子電極１５ａは、前記鍔部１４ａの底面上で接続される。また、前記ワイヤ１６ｂのワイヤ端部１８ｂと前記端子電極１５ｂは、前記鍔部１４ａの底面上で接続される。さらに、前記ワイヤ１６ｃのワイヤ端部１８ｃと前記端子電極１５ｃは、前記鍔部１４ａの側面上で接続される。
【００３３】
上述と同様に、前記鍔部１４ａの他方の鍔部（図示せず）にも三つの端子電極が形成される。そして、前記ワイヤ１６ａのワイヤ端部は、前記端子電極の一つと前記鍔部の底面上で接続される。また、前記ワイヤ１６ｂのワイヤ端部は別の端子電極と前記鍔部の底面上で接続される。また、前記ワイヤ１６ｃのワイヤ端部はさらに別の端子電極と前記鍔部の側面上で接続される。
【００３４】
上述のようにワイヤ端部と端子電極の接続位置を配置することにより、ワイヤと端子電極との間隔（例えばワイヤ１６ｃと端子電極１５ｂの間隔）が十分に確保され、ワイヤと端子電極間のショートを防ぐことができる。同時に、鍔部に溝が形成されない構造により、鍔部の機械的強度を十分に確保できるという効果を有する。
【００３５】
次に、第三の実施形態について、図４に基づき説明する。図４は、第三の実施形態による巻線型コモンモードチョークコイルにおける、ワイヤとコアの接続部付近の拡大図である。
【００３６】
第一の実施形態と同様、前記巻線型コモンモードチョークコイルは巻芯部とその両端に設けられる鍔部よりなるコアを有する。
【００３７】
本実施形態では、鍔部２４ａの一方の側面に段差５１が設けられる。また、前記段差５１により、前記側面より奥まって段差奥側面５４が設けられる。前記段差奥側面５４は、鍔部２４ａの底面に接して設けられる。
【００３８】
鍔部２４ａの底面（基板実装面）には、所定の間隔をおいて二つの端子電極２５ａ、２５ｂが形成される。また、前記端子電極２５ａは前記底面に隣接する鍔部２４ａの前面、背面及び側面にも形成される。さらに、前記端子電極２５ｂは前記鍔部２４ａの前面、背面及び段差奥側面５４上にも形成される。
【００３９】
前記巻芯部には、二本のワイヤ２６ａ、２６ｂが巻回される。そして、前記ワイヤ２６ａのワイヤ端部２８ａと前記端子電極２５ａは前記鍔部２４ａの底面上で接続される。また、前記ワイヤ２６ｂのワイヤ端部２８ｂと前記端子電極２５ｂは前記段差奥側面５４上で接続される。
【００４０】
上述と同様に、前記鍔部２４ａの他方の鍔部（図示せず）にも段差及び二つの端子電極が形成される。そして、前記ワイヤ２６ａのワイヤ端部は、前記端子電極の一方と前記鍔部の段差奥側面上で接続される。また、前記ワイヤ２６ｂのワイヤ端部は、他方の端子電極と前記鍔部の底面上で接続される。
【００４１】
上述のようにワイヤ端部と端子電極の接続位置を配置することにより、ワイヤと端子電極との間隔（例えばワイヤ２６ｂと端子電極２５ａの間隔）が十分に確保され、ワイヤと端子電極間のショートを防ぐことができる。同時に、鍔部に溝が形成されない構造により、鍔部の機械的強度を十分に確保できるという効果を有する。
【００４２】
上述の巻線型コモンモードチョークコイルを製造する際の、巻芯部へのワイヤの巻回工程を図５に示す
巻線ノズル５３の先端から出たワイヤ２６ｂは、巻芯部に巻回された後、位置を固定されたワイヤ位置決めピン５２により前記段差奥側面５４上に引き出される。次に、図のように、前記ワイヤ２６ｂは段差５１の端部により、前記段差奥側面５４上の所望の位置を通過するように支持される。この状態で、前記ワイヤが前記端子電極２５ｂに熱圧着接続され、その後前記ワイヤが切断される。
【００４３】
このように、本実施形態の巻線型コモンモードチョークコイルは、鍔部２４ａに設けられた段差５１を利用することにより、ワイヤと端子電極を接続する位置の位置決めを高精度かつ容易に行うことができる。これにより、ワイヤと端子電極の接続信頼性が向上するという効果を有する。
【００４４】
また、前記鍔部２４ａの側面より奥まって設けられる前記段差奥側面５４にワイヤ端部が接続されるため、ワイヤの一部が鍔部の寸法よりはみ出ることがなく、部品を小型化できる。
【００４５】
なお、本発明は上述の第一、第二及び第三の実施形態に限定されるものでなく、その要旨の範囲内で種々に変更することができる。
【００４６】
例えば、本発明の巻線型コモンモードチョークコイルでは、端子電極は少なくとも各鍔部においてワイヤ端部が接続される面上に形成されていればよい。すなわち、ワイヤ端部が接続される面に隣接する別の面に端子電極が形成されるかどうか、あるいは端子電極の形状は任意である。
【００４７】
また、ワイヤの巻芯部への巻回の仕方についても、例えば巻芯表面に複数のワイヤを交互に巻回する方法や、複数のワイヤを撚り線にして巻回する方法など、種々の公知の巻回方法を用いることができる。
【００４８】
【発明の効果】
以上述べてきたように、本発明の巻線型コモンモードチョークコイルは、巻芯部とその両端に設けられる鍔部よりなるコアを有し、前記巻芯部に導電性を有する複数のワイヤが巻回され、各鍔部の表面に前記ワイヤと同数の端子電極が設けられ、前記ワイヤの両端部が前記端子電極に各々接続される巻線型コモンモードチョークコイルであって、各鍔部において、前記ワイヤのうち一本の端部が前記端子電極と前記鍔部の側面上で接続され、残りのワイヤの端部が前記端子電極と前記鍔部の底面上で接続されることにより、ワイヤと端子電極間との間隔が十分に確保されるためワイヤと端子電極間のショートを防ぐことができるとともに、鍔部に溝が形成されない構造であるため鍔部の機械的強度を十分に確保できるという効果を有する。
【００４９】
また、前記ワイヤの端部が接続される前記鍔部の側面に段差が設けられ、前記段差により設けられる前記側面から奥まった面上に前記ワイヤの端部が接続されることにより、ワイヤと端子電極の接続位置の位置決めを高精度かつ容易に行うことができるため接続信頼性が向上するとともに、ワイヤの一部が鍔部の寸法からはみ出ないため部品を小型化できるという効果を有する。
【図面の簡単な説明】
【図１】第一の実施形態による巻線型コモンモードチョークコイルの外観斜視図。
【図２】図１の巻線型コモンモードチョークコイルの要部拡大図。
【図３】第二の実施形態による巻線型コモンモードチョークコイルの要部拡大図。
【図４】第三の実施形態による巻線型コモンモードチョークコイルの要部拡大図。
【図５】図４の巻線型コモンモードチョークコイルの製造におけるワイヤのコアへの接続工程を説明する図。
【図６】従来の実施形態による巻線型コモンモードチョークコイルの外観斜視図。
【図７】図６の巻線型コモンモードチョークコイルの要部拡大図である。
【図８】従来の他の実施形態による巻線型コモンモードチョークコイルの外観斜視図。
【図９】図８の巻線型コモンモードチョークコイルの要部拡大図。
【符号の説明】
１、３１、４１    巻線型コモンモードチョークコイル
２、３２、４２    コア            ３、３３、４３    巻芯部
４ａ、４ｂ、１４ｂ、２４ｂ、３４ａ、３４ｂ、４４ａ、４４ｂ    鍔部
５ａ、５ｂ、１５ａ、１５ｂ、１５ｃ、２５ａ、２５ｂ、３５ａ、
３５ｂ、４５ａ、４５ｂ    端子電極
６ａ、１６ａ、２６ａ、３６ａ、４６ａ    第一のワイヤ
６ｂ、１６ｂ、２６ｂ、３６ｂ、４６ｂ    第二のワイヤ
１６ｃ    第三のワイヤ            ７、３７、４７    天板
８ａ、８ｂ、１８ａ、１８ｂ、１８ｃ、２８ａ、２８ｂ、３８ａ、３８ｂ、
４８ａ、４８ｂ    ワイヤ端部      ３９ａ、３９ｂ    脚部
４０    溝部                      ５１    段差
５２    ワイヤ位置決めピン        ５３    巻線ノズル
５４    段差奥側面
【図１】
2004260095.tif 000003
【図２】
2004260095.tif 000004
【図３】
2004260095.tif 000005
【図４】
2004260095.tif 000006
【図５】
2004260095.tif 000007
【図６】
2004260095.tif 000008
【図７】
2004260095.tif 000009
【図８】
2004260095.tif 000010
【図９】
2004260095.tif 000011